【手続補正書】
【提出日】平成23年10月7日(2011.10.7)
【手続補正１】
【補正対象書類名】特許請求の範囲
【補正対象項目名】全文
【補正方法】変更
【補正の内容】
【特許請求の範囲】
【請求項１】
通信パラメータを提供する提供装置、又は前記提供装置が提供する通信パラメータを受信する受信装置として通信パラメータの設定処理を行う通信装置であって、
前記提供装置として動作する他の通信装置を検索する検索手段と、
第１の通信装置と通信するための通信パラメータを設定済みか否かを判定する判定手段と、
前記検索手段により前記提供装置として動作する第２の通信装置を検出し、かつ、前記判定手段により前記第１の通信装置と通信するための通信パラメータを設定済みと判定された場合は、前記第２の通信装置に前記提供装置としての動作を規制させるためのメッセージを送信する送信手段と、
を有することを特徴とする通信装置。
【請求項２】
通信パラメータを提供する提供装置、又は前記提供装置が提供する通信パラメータを受信する受信装置として通信パラメータの設定処理を行う通信装置であって、
前記提供装置として動作する他の通信装置を検索する検索手段と、
第１の通信装置と前記通信装置とが同一のネットワーク上に存在するか否かを判定する判定手段と、
前記検索手段により前記提供装置として動作する第２の通信装置を検出し、かつ、前記判定手段により前記第１の通信装置と前記通信装置とが同一のネットワーク上に存在すると判定された場合は、前記第２の通信装置に前記提供装置としての動作を規制させるためのメッセージを送信する送信手段と、
を有することを特徴とする通信装置。
【請求項３】
通信パラメータの設定処理の開始の指示入力を検出する検出手段を有し、
前記検出手段による検出に応じて、前記検索手段により前記提供装置として動作する他の通信装置の検索を開始し、前記第２の通信装置を検出した場合に、前記判定手段により前記第１の通信装置と通信するための通信パラメータを設定済みか否かを判定することを特徴とする請求項１記載の通信装置。
【請求項４】
通信パラメータの設定処理の開始の指示入力を検出する検出手段を有し、
前記検出手段による検出に応じて、前記判定手段により前記第１の通信装置と前記通信装置とが同一ネットワーク上に存在するか否かの判定を開始し、同一のネットワーク上に存在すると判定された場合は、前記通信装置の役割を前記提供装置に設定し、前記検索手段により前記提供装置として動作する他の通信装置の検索を開始することを特徴とする請求項２記載の通信装置。
【請求項５】
前記送信手段は、前記提供装置が複数存在することを通知するためのメッセージを送信することを特徴とする請求項１から４のいずれか１項に記載の通信装置。
【請求項６】
前記送信手段により前記提供装置が複数存在することを通知するためのメッセージを送信するために、前記通信装置の役割を前記提供装置に設定する設定手段を有することを特徴とする請求項５記載の通信装置。
【請求項７】
通信パラメータを提供する提供装置、又は前記提供装置が提供する通信パラメータを受信する受信装置として通信パラメータの設定処理を行う通信装置であって、
前記提供装置として動作する他の通信装置を検索する検索手段と、
前記検索手段による検索結果に応じて、前記通信装置の役割を前記提供装置に設定する設定手段と、
前記設定手段による設定後に前記提供装置が複数存在することを示すメッセージを受信した場合、前記提供装置としての動作を規制する規制手段と、
を有することを特徴とする通信装置。
【請求項８】
前記規制手段による規制に応じて、前記通信装置の役割を前記受信装置に切替える切替え手段を有することを特徴とする請求項７記載の通信装置。
【請求項９】
前記規制手段による規制に応じて、前記検索手段による検索を再開することを特徴とする請求項７記載の通信装置。
【請求項１０】
通信パラメータの設定処理の開始の指示入力を検出する検出手段と、
前記検出手段による検出に応じて、前記通信装置と同一のネットワーク上に他の通信装置が存在するか否かを判定する判定手段と、を有し、
前記判定手段により前記通信装置と同一のネットワーク上に他の通信装置が存在しないと判定された場合に、前記検索手段による前記提供装置の検索を開始することを特徴とする請求項７から９のいずれか１項に記載の通信装置。
【請求項１１】
通信パラメータを提供する提供装置、又は前記提供装置が提供する通信パラメータを受信する受信装置として通信パラメータの設定処理を行う通信装置であって、
前記提供装置として動作する他の通信装置を検索する検索手段と、
前記検索手段により前記提供装置として動作する第２の通信装置を検出し、かつ、既に存在するネットワークに前記通信装置が参加している場合、前記第２の通信装置に前記提供装置としての動作を規制させるためのメッセージを送信する送信手段と、
を有することを特徴とする通信装置。
【請求項１２】
通信パラメータを提供する提供装置、又は前記提供装置が提供する通信パラメータを受信する受信装置として通信パラメータの設定処理を行う通信装置の制御方法であって、
前記提供装置として動作する他の通信装置を検索する検索工程と、
第１の通信装置と通信するための通信パラメータを設定済みか否かを判定する判定工程と、
前記検索工程において前記提供装置として動作する第２の通信装置が検出され、前記判定工程において前記第１の通信装置と通信するための通信パラメータを設定済みと判定された場合は、前記第２の通信装置に前記提供装置としての動作を規制させるためのメッセージを送信する送信工程と、
を有することを特徴とする通信装置の制御方法。
【請求項１３】
通信パラメータを提供する提供装置、又は前記提供装置が提供する通信パラメータを受信する受信装置として通信パラメータの設定処理を行う通信装置の制御方法であって、
前記提供装置として動作する他の通信装置を検索する検索工程と、
第１の通信装置と前記通信装置とが同一のネットワーク上に存在するか否かを判定する判定工程と、
前記検索工程において前記提供装置として動作する第２の通信装置が検出され、前記判定工程において前記第１の通信装置と前記通信装置とが同一のネットワーク上に存在すると判定された場合は、前記第２の通信装置に前記提供装置としての動作を規制させるためのメッセージを送信する送信工程と、
を有することを特徴とする通信装置の制御方法。
【請求項１４】
通信パラメータを提供する提供装置、又は前記提供装置が提供する通信パラメータを受信する受信装置として通信パラメータの設定処理を行う通信装置の制御方法であって、
前記提供装置として動作する他の通信装置を検索する検索工程と、
前記検索工程における検索結果に応じて、前記通信装置の役割を前記提供装置に設定する設定工程と、
前記設定工程における設定後に前記提供装置が複数存在することを示すメッセージを受信した場合、前記提供装置としての動作を規制する規制工程と、
を有することを特徴とする通信装置の制御方法。
【請求項１５】
通信パラメータを提供する提供装置、又は前記提供装置が提供する通信パラメータを受信する受信装置として通信パラメータの設定処理を行う通信装置の制御方法であって、
前記提供装置として動作する他の通信装置を検索する検索工程と、
前記検索工程において前記提供装置として動作する第２の通信装置を検出し、かつ、既に存在するネットワークに前記通信装置が参加している場合、前記第２の通信装置に前記提供装置としての動作を規制させるためのメッセージを送信する送信工程と、
を有することを特徴とする通信装置の制御方法。
【請求項１６】
請求項１２から１５のいずれか１項に記載の制御方法の各工程をコンピュータに実行させるためのプログラム。
【手続補正２】
【補正対象書類名】明細書
【補正対象項目名】００１２
【補正方法】変更
【補正の内容】
【００１２】
更にまた、本発明は、通信パラメータを提供する提供装置、又は前記提供装置が提供する通信パラメータを受信する受信装置として通信パラメータの設定処理を行う通信装置であって、前記提供装置として動作する他の通信装置を検索する検索手段と、前記検索手段による検索結果に応じて、前記通信装置の役割を前記提供装置に設定する設定手段と、前記設定手段による設定後に前記提供装置が複数存在することを示すメッセージを受信した場合、前記提供装置としての動作を規制する規制手段と、を有することを特徴とする。また、通信パラメータを提供する提供装置、又は前記提供装置が提供する通信パラメータを受信する受信装置として通信パラメータの設定処理を行う通信装置であって、前記提供装置として動作する他の通信装置を検索する検索手段と、前記検索手段により前記提供装置として動作する第２の通信装置を検出し、かつ、既に存在するネットワークに前記通信装置が参加している場合、前記第２の通信装置に前記提供装置としての動作を規制させるためのメッセージを送信する送信手段と、を有することを特徴とする。